(57)【要約】【課題】  エンジンの運転状態を適切に管理することで、無駄な燃料消費が少なく、しかも、運転開始時刻からエンジンにて適切に熱供給を行うことが可能となるコージェネレーションシステムを提供する。【解決手段】    発電装置を駆動するエンジン１と、そのエンジン１の排熱を回収する排熱回収手段と、各部の運転を制御する運転制御手段とが設けられ、その運転制御手段が、起動前のエンジン１の温度が基準温度よりも高い場合には、運転開始時刻又はそれに近い時刻にて、直ちに定格運転に移行する形態でエンジン１の運転を制御し、エンジン１の温度が基準温度よりも低い場合には温度の差が大きいほど長い時間となる補正時間だけ早い暖機運転開始時刻を求めてその時刻にてエンジン暖機運転の実行を開始し、その後、定格運転に移行する形態で、エンジン１の運転を制御する。【選択図】        図１
2006336607.tif 000002
【特許請求の範囲】
【請求項１】
発電装置を駆動するエンジンと、そのエンジンの排熱を回収する排熱回収手段と、各部の運転を制御する運転制御手段とが設けられ、その運転制御手段が、設定された運転開始時刻に基づいて前記エンジンの運転を制御するように構成されているコージェネレーションシステムであって、
前記エンジンの温度を検出するエンジン温度検出手段が設けられ、
前記運転制御手段が、
前記エンジン温度検出手段にて検出される起動前の前記エンジンの温度が暖機運転要否判別用の基準温度よりも高い場合には、前記運転開始時刻又はそれに近い時刻にて、直ちに定格運転に移行する形態で前記エンジンの運転を制御し、
前記エンジン温度検出手段にて検出される起動前の前記エンジンの温度が暖機運転要否判別用の基準温度よりも低い場合には、前記運転開始時刻よりも前記エンジンの温度と前記暖機運転要否判別用の基準温度との差が大きいほど長い時間となる補正時間だけ早い暖機運転開始時刻を求めて、その暖機運転開始時刻にてエンジン暖機運転の実行を開始し、その後、定格運転に移行する形態で、前記エンジンの運転を制御するように構成されているコージェネレーションシステム。
【請求項２】
前記エンジンを冷却するエンジン冷却用熱媒を加熱する加熱手段が設けられ、
前記運転制御手段が、
前記エンジン温度検出手段にて検出される起動前の前記エンジンの温度が暖機運転要否判別用の基準温度よりも低く、且つ、起動可否判別用の基準温度よりも高い場合は、
前記エンジン暖機運転として、アイドリング状態でのエンジン暖機運転を実行するように構成され、且つ、前記補正時間としてアイドリング状態でのエンジン暖機運転を実行するための時間を設定して前記暖機運転開始時刻を求めるように構成され、
前記エンジン温度検出手段にて検出される起動前の前記エンジンの温度が前記起動可否判別用の基準温度よりも低い場合は、
前記エンジン暖機運転として、前記エンジンの回転停止状態で前記加熱手段にて前記エンジン冷却用熱媒を加熱する熱媒加熱式のエンジン暖機運転を前記エンジンの温度が前記起動可否判別用の基準温度よりも高くなるまで実行し、次に、前記アイドリング状態でのエンジン暖機運転を実行するように構成され、且つ、前記補正時間として熱媒加熱式のエンジン暖機運転及びアイドリング状態でのエンジン暖機運転の夫々を実行するための時間を設定して前記暖機運転開始時刻を求めるように構成されている請求項１記載のコージェネレーションシステム。
【請求項３】
前記排熱回収手段が、
湯水を貯留する貯湯タンクと、湯水通流路を通して前記貯湯タンク内の湯を循環通流させる循環通流手段と、熱媒循環路を通して循環通流させる前記エンジン冷却用熱媒と前記湯水通流路を通して循環通流される湯水との間で熱交換する排熱回収用熱交換器と、前記貯湯タンクを迂回させる状態で前記排熱回収用熱交換器を通過するように湯水を循環通流させる迂回通流路と、この迂回通流路を通して循環通流する湯水を加熱する補助加熱手段とを備えて、前記貯湯タンク内の湯水を前記排熱回収用熱交換器を通過するように前記湯水通流路を通して循環通流させる貯湯温水循環状態と、前記補助加熱手段にて加熱しながら前記迂回通流路を通して湯水を循環通流する加熱温水循環状態とに切り換え自在に構成され、且つ、前記加熱手段を兼用するように構成され、
前記貯湯タンク内に貯留される湯水の温度を検出する湯温検出手段が設けられ、
前記運転制御手段が、
前記エンジンの温度が起動可否判別用の基準温度よりも低く、且つ、前記湯温検出手段にて検出される前記湯水の温度が設定温度より高い場合は、前記熱媒加熱式のエンジン暖機運転として、前記排熱回収手段を前記貯湯温水循環状態に切り換えて、前記エンジンの回転停止状態において前記貯湯タンク内の湯水とエンジン冷却用熱媒との間で熱交換を行うことによって前記エンジン冷却用熱媒を加熱する貯湯温水循環式のエンジン暖機運転を実行するように構成され、
前記エンジンの温度が起動可否判別用の基準温度よりも低く、且つ、前記湯温検出手段にて検出される前記湯水の温度が設定温度より低い場合は、前記熱媒加熱式のエンジン暖機運転として、前記排熱回収手段を前記加熱温水循環状態に切り換えて、前記エンジンの回転停止状態において前記補助加熱手段にて加熱した湯と前記エンジン冷却用熱媒との間で熱交換を行うことによって前記エンジン冷却用熱媒を加熱する加熱温水循環式のエンジン暖機運転を実行するように構成されている請求項２記載のコージェネレーションシステム。
【発明の詳細な説明】
【技術分野】
【０００１】
本発明は、発電装置を駆動するエンジンと、そのエンジンの排熱を回収する排熱回収手段と、各部の運転を制御する運転制御手段とが設けられ、その運転制御手段が、設定された運転開始時刻に基づいて前記エンジンの運転を制御するように構成されているコージェネレーションシステムに関する。
【背景技術】
【０００２】
上記構成のコージェネレーションシステムは、エンジンにて発電装置を駆動して電力負荷を賄うようにしながら、エンジンの排熱を回収して、例えば暖房負荷としての暖房装置を加熱するようにしたり給湯用の湯を貯湯させること等ができるようにしたものであるが、このようなコージェネレーションシステムにおいて、従来では、次のように構成したものがあった。
【０００３】
例えば、上記したような暖房負荷としての暖房装置等を使用するための運転開始時刻を予め使用者が予約設定することが可能なように構成されており、使用者が運転開始時刻を予約設定しているような場合において、その運転開始時刻よりも所定時間前の時刻になるとエンジンのアイドリング運転を開始することにより、前記運転開始時刻においては、エンジンを定格運転して、エンジンの排熱を回収して暖房装置を使用する暖房負荷に熱供給を行えるようにしたものがあった（例えば、特許文献１参照。）。
【０００４】
【特許文献１】特開２００４−１３８２９８号公報
【発明の開示】
【発明が解決しようとする課題】
【０００５】
しかし、上記従来構成においては、前記運転開始時刻よりも所定時間前にエンジン暖機運転（定格運転が可能な状態となるようにエンジンを暖める運転）を開始するものであるから、次のような不利があった。
すなわち、上記従来構成では、エンジンの温度が、エンジン暖機運転を行わなくても直ちに定格運転に移行することが可能な高い温度になっている場合であっても、前記運転開始時刻よりも所定時間前にエンジン暖機運転を開始するので、不必要なエンジン暖機運転を行うことにより無駄に燃料を消費する不利がある。又、エンジンの温度が低い場合に、前記運転開始時刻よりも所定時間前にエンジン暖機運転を開始しても、運転開始時刻においてエンジンが充分に暖機していないことがあり、エンジン暖機運転の時間が不足して、運転開始時刻になっても暖房負荷に熱供給を行うことができず、暖房が行えない状態になるおそれがあった。
【０００６】
要するに、上記従来構成においては、常に一定の前記所定時間だけエンジン暖機運転を行うものであるから、起動前のエンジンの温度の違いによりエンジン暖機運転の時間に過不足を生じるものであり、エンジン暖機運転が必要以上に長く行われて燃料が無駄になったり、暖機運転が短か過ぎて前記運転開始時刻からエンジンを定格運転させることができないものとなる等の不利があった。
【０００７】
本発明の目的は、エンジンを適正なタイミングでエンジン暖機運転を開始することにより、運転開始時刻から良好にエンジンを定格運転することが可能となるコージェネレーションシステムを提供する点にある。
【課題を解決するための手段】
【０００８】
本発明に係るコージェネレーションシステムは、発電装置を駆動するエンジンと、そのエンジンの排熱を回収する排熱回収手段と、各部の運転を制御する運転制御手段とが設けられ、その運転制御手段が、設定された運転開始時刻に基づいて前記エンジンの運転を制御するように構成されているものであって、
その第１特徴構成は、前記エンジンの温度を検出するエンジン温度検出手段が設けられ、
前記運転制御手段が、
前記エンジン温度検出手段にて検出される起動前の前記エンジンの温度が暖機運転要否判別用の基準温度よりも高い場合には、前記運転開始時刻又はそれに近い時刻にて、直ちに定格運転に移行する形態で前記エンジンの運転を制御し、
前記エンジン温度検出手段にて検出される起動前の前記エンジンの温度が暖機運転要否判別用の基準温度よりも低い場合には、前記運転開始時刻よりも前記エンジンの温度と前記暖機運転要否判別用の基準温度との差が大きいほど長い時間となる補正時間だけ早い暖機運転開始時刻を求めて、その暖機運転開始時刻にてエンジン暖機運転の実行を開始し、その後、定格運転に移行する形態で、前記エンジンの運転を制御するように構成されている点にある。
【０００９】
第１特徴構成によれば、起動前のエンジンの温度が暖機運転要否判別用の基準温度よりも高い場合には、運転開始時刻又はそれに近い時刻にてエンジンを直ちに定格運転に移行する形態でエンジンの運転が制御されることになる。すなわち、エンジンの温度が暖機運転要否判別用の基準温度よりも高いときには、エンジン暖機運転（定格運転が可能な状態となるようにエンジンを暖める運転）を行うことなく直ちに定格運転に移行するから、無駄な燃料の消費を抑えて、運転開始時刻から定格運転を行うことにより排熱回収手段はエンジンの排熱を回収することが可能となる。
【００１０】
又、前記エンジン温度検出手段にて検出される起動前の前記エンジンの温度が暖機運転要否判別用の基準温度よりも低い場合には、エンジンの温度と暖機運転要否判別用の基準温度との差が大きいほど長い時間となる補正時間だけ早い暖機運転開始時刻を求めて、その暖機運転開始時刻にてエンジン暖機運転の実行を開始することになる。
【００１１】
すなわち、エンジン暖機運転を行う時間に相当する補正時間は、起動前のエンジンの温度と前記暖機運転要否判別用の基準温度との差が大きいほど長い時間となるものであるから、起動前のエンジンの温度に対応した適切なタイミングでエンジン暖機運転を開始することができる。
【００１２】
例えば、起動前のエンジンの温度が暖機運転要否判別用の基準温度よりも低く、エンジンの温度と暖機運転要否判別用の基準温度との差が大きい場合には、補正時間が長くなるから、長い時間にわたってエンジン暖機運転が行われることになり、その後は定格運転に移行するので、前記運転開始時刻においては、エンジンが充分に暖機されており、運転開始時刻からエンジンを適正に定格運転することができ、排熱回収手段はエンジンの排熱を回収することが可能となる。
【００１３】
又、起動前のエンジンの温度が暖機運転要否判別用の基準温度よりも低く、エンジンの温度と暖機運転要否判別用の基準温度との差が小さい場合には、前記補正時間が短いので、エンジン暖機運転が行う時間が短いものとなるから、不必要に長くエンジン暖機運転を行うことがなく、エンジンが無駄に燃料消費することがない。
【００１４】
従って、エンジンを適正なタイミングでエンジン暖機運転を開始することにより、運転開始時刻から良好にエンジンを定格運転することが可能となるコージェネレーションシステムを提供できるに至った。
【００１５】
本発明の第２特徴構成は、第１特徴構成に加えて、
前記エンジンを冷却するエンジン冷却用熱媒を加熱する加熱手段が設けられ、
前記運転制御手段が、
前記エンジン温度検出手段にて検出される起動前の前記エンジンの温度が暖機運転要否判別用の基準温度よりも低く、且つ、起動可否判別用の基準温度よりも高い場合は、
前記エンジン暖機運転として、アイドリング状態でのエンジン暖機運転を実行するように構成され、且つ、前記補正時間としてアイドリング状態でのエンジン暖機運転を実行するための時間を設定して前記暖機運転開始時刻を求めるように構成され、
前記エンジン温度検出手段にて検出される起動前の前記エンジンの温度が前記起動可否判別用の基準温度よりも低い場合は、
前記エンジン暖機運転として、前記エンジンの回転停止状態で前記加熱手段にて前記エンジン冷却用熱媒を加熱する熱媒加熱式のエンジン暖機運転を前記エンジンの温度が前記起動可否判別用の基準温度よりも高くなるまで実行し、次に、前記アイドリング状態でのエンジン暖機運転を実行するように構成され、且つ、前記補正時間として熱媒加熱式のエンジン暖機運転及びアイドリング状態でのエンジン暖機運転の夫々を実行するための時間を設定して前記暖機運転開始時刻を求めるように構成されている点にある。
【００１６】
第２特徴構成によれば、起動前のエンジンの温度が暖機運転要否判別用の基準温度よりも低く、且つ、起動可否判別用の基準温度よりも高い場合は、エンジンを回転させて起動させることが可能であるから、エンジン暖機運転としてアイドリング状態でのエンジン暖機運転を実行するのである。つまり、エンジンを始動させて無負荷状態でエンジンを回転させて暖機する。しかも、前記補正時間としてアイドリング状態でのエンジン暖機運転を実行するための時間を設定して前記暖機運転開始時刻を求めるように構成されているから、アイドリング状態でのエンジン暖機運転を実行するのに適した時間だけ早くエンジン暖機運転を開始することになる。
【００１７】
そして、起動前のエンジンの温度が起動可否判別用の基準温度よりも低い場合は、例えば、エンジンオイルの粘度が高くエンジンを回転させて起動させることが難しい状態であるから、エンジンの回転停止状態で加熱手段にてエンジン冷却用熱媒を加熱する熱媒加熱式のエンジン暖機運転を行うことによりエンジンの暖機を行い、エンジンの温度が起動可否判別用の基準温度よりも高くなると、エンジンを始動させることが可能であるからアイドリング状態でのエンジン暖機運転を行うのである。
【００１８】
しかも、前記補正時間として、熱媒加熱式のエンジン暖機運転及びアイドリング状態でのエンジン暖機運転の夫々を実行するための時間を設定して前記暖機運転開始時刻を求めるように構成されているから、熱媒加熱式のエンジン暖機運転及びアイドリング状態でのエンジン暖機運転の夫々を実行するのに適した時間だけ早くエンジン暖機運転を開始することになる。
【００１９】
従って、エンジンの温度の検出結果に基づいて、エンジンの温度に応じた適切な種類のエンジン暖機運転を行うことができ、しかも、そのときのエンジン暖機運転を実行するのに適した時間だけ早くエンジン暖機運転を開始することになり、運転開始時刻からエンジンにて適切に熱供給を行うことが可能となるのである。
【００２０】
本発明の第３特徴構成は、第２特徴構成に加えて、
前記排熱回収手段が、
湯水を貯留する貯湯タンクと、湯水通流路を通して前記貯湯タンク内の湯を循環通流させる循環通流手段と、熱媒循環路を通して循環通流させる前記エンジン冷却用熱媒と前記湯水通流路を通して循環通流される湯水との間で熱交換する排熱回収用熱交換器と、前記貯湯タンクを迂回させる状態で前記排熱回収用熱交換器を通過するように湯水を循環通流させる迂回通流路と、この迂回通流路を通して循環通流する湯水を加熱する補助加熱手段とを備えて、前記貯湯タンク内の湯水を前記排熱回収用熱交換器を通過するように前記湯水通流路を通して循環通流させる貯湯温水循環状態と、前記補助加熱手段にて加熱しながら前記迂回通流路を通して湯水を循環通流する加熱温水循環状態とに切り換え自在に構成され、且つ、前記加熱手段を兼用するように構成され、
前記貯湯タンク内に貯留される湯水の温度を検出する湯温検出手段が設けられ、
前記運転制御手段が、
前記エンジンの温度が起動可否判別用の基準温度よりも低く、且つ、前記湯温検出手段にて検出される前記湯水の温度が設定温度より高い場合は、前記熱媒加熱式のエンジン暖機運転として、前記排熱回収手段を前記貯湯温水循環状態に切り換えて、前記エンジンの回転停止状態において前記貯湯タンク内の湯水とエンジン冷却用熱媒との間で熱交換を行うことによって前記エンジン冷却用熱媒を加熱する貯湯温水循環式のエンジン暖機運転を実行するように構成され、
前記エンジンの温度が起動可否判別用の基準温度よりも低く、且つ、前記湯温検出手段にて検出される前記湯水の温度が設定温度より低い場合は、前記熱媒加熱式のエンジン暖機運転として、前記排熱回収手段を前記加熱温水循環状態に切り換えて、前記エンジンの回転停止状態において前記補助加熱手段にて加熱した湯と前記エンジン冷却用熱媒との間で熱交換を行うことによって前記エンジン冷却用熱媒を加熱する加熱温水循環式のエンジン暖機運転を実行するように構成されている点にある。
【００２１】
第３特徴構成によれば、エンジンが定格運転を行っている状態では、熱媒循環路を通して循環通流させるエンジン冷却用熱媒と湯水通流路を通して循環通流される湯水との間で熱交換することで、エンジン冷却用熱媒が保有するエンジンの排熱によって湯水が加熱され、加熱された湯水が貯湯タンクに貯湯される。
【００２２】
そして、エンジンの温度が起動可否判別用の基準温度よりも低く、且つ、湯温検出手段にて検出される湯水の温度が設定温度より高い場合は、排熱回収手段を貯湯タンク内の湯水を前記排熱回収用熱交換器を通過するように前記湯水通流路を通して循環通流させる貯湯温水循環状態に切り換えて、エンジンの回転停止状態において貯湯タンク内の湯水とエンジン冷却用熱媒との間で熱交換を行うことによってエンジン冷却用熱媒を加熱する貯湯温水循環式のエンジン暖機運転を実行するのである。つまり、エンジンの排熱を回収して貯湯タンクに貯湯されている湯水の熱によってエンジンを暖機するのである。
【００２３】
又、エンジンの温度が起動可否判別用の基準温度よりも低く、且つ、湯温検出手段にて検出される湯水の温度が設定温度より低い場合は、排熱回収手段を補助加熱手段にて加熱しながら迂回通流路を通して湯水を循環通流する加熱温水循環状態に切り換えて、エンジンの回転停止状態において補助加熱手段にて加熱した湯とエンジン冷却用熱媒との間で熱交換を行うことによってエンジン冷却用熱媒を加熱する加熱温水循環式のエンジン暖機運転を実行するのである。つまり、補助加熱手段にて加熱しながら循環通流する湯水の熱によってエンジンを暖機するのである。
【００２４】
このようにして、湯水が貯湯される貯湯タンクの構成並びに湯水を循環通流するように構成された排熱回収手段の構成を有効利用して、簡単な構成で熱媒加熱式のエンジン暖機運転を行うことができる。
【発明を実施するための最良の形態】
【００２５】
以下、本発明にかかるコージェネレーションシステムの実施形態について図面に基づいて説明する。
このコージェネレーションシステムは、図１および図２に示すように、エンジン１によって発電装置２を駆動するように構成された熱電併給装置３と、その熱電併給装置３にて発生する熱を利用しながら、貯湯タンク４への貯湯および熱消費端末５への熱媒供給を行う貯湯ユニット６と、熱電併給装置３および貯湯ユニット６の運転を制御する運転制御手段としての運転制御部７などから構成されている。
【００２６】
前記発電装置２の出力側には、系統連系用のインバータ８が設けられ、そのインバータ８は、発電装置２の出力電力を商用系統９から供給される電力と同じ電圧および同じ周波数にするように構成されている。前記商用系統９は、例えば、単相３線式１００／２００Ｖであり、商業用電力供給ライン１０を介して、テレビ、冷蔵庫、洗濯機などの電力負荷１１に電気的に接続されている。
【００２７】
また、インバータ８は、コージェネ用供給ライン１２を介して商業用電力供給ライン１０に電気的に接続され、発電装置２からの発電電力がインバータ８およびコージェネ用供給ライン１２を介して電力負荷１１に供給するように構成されている。
【００２８】
前記商業用電力供給ライン１０には、電力負荷１１の負荷電力を計測する電力負荷計測手段１３が設けられ、この電力負荷計測手段１３は、商業用電力供給ライン１０を通して流れる電流に逆潮流が発生するか否かをも検出するように構成されている。そして、逆潮流が生じないように、インバータ８により発電装置２から商業用電力供給ライン１０に供給される電力が制御され、発電電力の余剰電力は、その余剰電力を熱に代えて回収する電気ヒータ１４に供給されるように構成されている。
【００２９】
前記電気ヒータ１４は、複数の電気ヒータから構成され、冷却用熱媒循環ポンプ１７の作動により熱媒循環路１５を通流するエンジン冷却用熱媒を加熱することが可能なように設けられ、インバータ８の出力側に接続された作動スイッチ１６によりＯＮ／ＯＦＦが切り換えられている。また、作動スイッチ１６は、余剰電力の大きさが大きくなるほど、電気ヒータ１４の消費電力が大きくなるように、余剰電力の大きさに応じて電気ヒータ１４の消費電力を調整するように構成されている。
【００３０】
前記エンジン１には、エンジン１の内部における潤滑油の温度を検出することにより、エンジン１の温度を検出するエンジン温度検出センサＳ１が設けられている。又、排気ガスが通流する排ガス通路内には、排気ガス中の酸素濃度を検出することによってエンジン１における燃焼状態が良好に行われているか否か、換言すると不完全燃焼しているか否かを検出するための酸素センサＳ２も設けられている。
【００３１】
前記貯湯ユニット６は、温度成層を形成する状態で湯水を貯湯する貯湯タンク４、湯水通流路１８を通して貯湯タンク４内の湯水などを循環させる循環通流手段としての湯水循環ポンプ１９、熱媒循環路２０を通して熱媒を熱消費端末５に循環供給させる熱媒循環手段としての熱媒循環ポンプ２１、湯水通流路１８を通流する湯水を加熱させる排熱回収用熱交換器２２、熱媒循環路２０を通流する熱媒を加熱させる熱媒加熱用熱交換器２３、ファン２４を作動させた状態でのバーナ２５の燃焼により湯水通流路１８を通流する湯水を加熱させる補助加熱用熱交換器２６などを備えて構成されている。
【００３２】
前記排熱回収用熱交換器２２においては、熱電併給装置３にて発生する熱を回収した熱媒循環路１５の冷却水を通流させることにより、湯水通流路１８を通流する湯水を加熱させるように構成されている。そして、排熱式加熱手段Ｎが、排熱回収用熱交換器２２により構成され、補助加熱手段Ｍが、ファン２４、バーナ２５、補助加熱用熱交換器２６により構成されている。ちなみに、補助加熱手段Ｍは、バーナ２５の燃焼量を調整することにより、湯水の温度が貯湯設定温度や熱媒加熱用熱交換器２３に供給するための熱媒加熱用設定温度、更には、後述するようなエンジン暖機用設定温度等になるように加熱させるように構成されている。
【００３３】
前記熱媒加熱用熱交換器２３においては、排熱回収用熱交換器２２や補助加熱用熱交換器２６にて加熱された熱源用湯水を通流させることにより、熱媒循環路２０を通流する熱媒を加熱させるように構成されている。前記熱消費端末５は、床暖房装置や浴室暖房装置などの暖房端末にて構成されている。
【００３４】
前記湯水通流路１８には、貯湯タンク４の下部と連通する取り出し路２７と貯湯タンク４の上部と連通する貯湯路２８が接続され、貯湯路２８には、貯湯弁２９が設けられている。湯水通流路１８には、取り出し路２７との接続箇所から湯水の循環方向の順に、排熱回収用熱交換器２２、湯水循環ポンプ１９、補助加熱用熱交換器２６が設けられ、この湯水通流路１８に連なる暖房用通流路３５には、湯水の通流を断続する断続弁３０、熱媒加熱用熱交換器２３が設けられている。
【００３５】
前記湯水通流路１８における排熱回収用熱交換器２２より湯水の循環方向上手側箇所と、補助加熱用熱交換器２６の湯水の循環方向下手側箇所とを接続する迂回通流路３３が設けられ、その迂回通流路３３には湯水の通流を断続する断続弁３４が設けられている。また、貯湯タンク４から取り出した湯水を給湯するときの給湯熱負荷を計測する給湯熱負荷計測手段３１が設けられ、熱消費端末５での端末熱負荷を計測する端末熱負荷計測手段３２も設けられている。
【００３６】
前記貯湯タンク４には、その貯湯タンク４内に貯留されている湯水の温度を検出するための湯温検出手段としての貯湯温度センサＳ３が設けられている。
【００３７】
そして、運転制御部７は、熱電併給装置３の運転中には冷却用熱媒循環ポンプ１７を作動させる状態で、熱電併給装置３の運転および冷却用熱媒循環ポンプ１７の作動状態を制御するとともに、湯水循環ポンプ１９、熱媒循環ポンプ２１、断続弁３０、断続弁３４等の作動状態を制御することによって、貯湯タンク４内に湯水を貯湯する貯湯運転や、暖房スイッチのＯＮ操作により熱消費端末５に熱媒を供給する熱媒供給運転を行うように構成されている。
【００３８】
ちなみに、給湯するときには、貯湯タンク４内に貯湯用設定温度の湯水が貯湯されていれば、その湯水を給湯し、貯湯タンク４内に貯湯用設定温度の湯水が貯湯されていなければ、補助加熱手段Ｍを作動させて、その補助加熱手段Ｍにて加熱された湯水を給湯するように構成されている。
【００３９】
従って、この実施形態では、貯湯タンク４と、湯水通流路１８、湯水循環ポンプ１９、熱媒循環路１５、排熱回収用熱交換器２２、迂回通流路３３、補助加熱手段Ｍ等により、エンジン１の排熱を回収する排熱回収手段が構成されるが、この排熱回収手段は、後述するように、エンジン冷却用熱媒を加熱する加熱手段を兼用する構成となっている。
【００４０】
前記運転制御部７による熱電併給装置３の運転の制御について説明を加える。
前記運転制御部７は、実際の使用状況に基づいて、１日分の時系列的な過去負荷データを曜日と対応付ける状態で更新して記憶するデータ更新処理を行い、日付が変わるごとに、記憶されている１日分の時系列的な過去負荷データから、その日１日分の時系列的な予測負荷データを求める予測負荷演算処理を行い、その予測負荷データから熱電併給装置３の運転パターンを設定する運転パターン設定処理を行うように構成されている。
【００４１】
前記データ更新処理について説明を加えると、１日のうちのどの時間帯にどれだけの電力負荷、熱負荷としての給湯熱負荷と端末熱負荷があったかの１日分の時系列的な過去負荷データを曜日と対応付ける状態で更新して記憶するように構成されている。
【００４２】
まず、時系列的な過去負荷データについて説明すると、時系列的な過去負荷データは、時系列的な電力負荷データ、時系列的な給湯熱負荷データ、時系列的な端末熱負荷データの３種類の時系列的な負荷データからなり、図３に示すように、１日分の時系列的な過去負荷データが日曜日から土曜日までの曜日ごとに区分けした状態で記憶するように構成されている。
【００４３】
そして、１日分の時系列的な過去負荷データは、２４時間のうち１時間を単位時間として、単位時間当たりの電力負荷データの２４個、単位時間当たりの給湯熱負荷データの２４個、および、単位時間当たりの端末熱負荷データの２４個から構成されている。
【００４４】
上述のような過去負荷データを更新する構成について説明を加えると、実際の使用状況から、単位時間当たりの実電力負荷、実給湯熱負荷、および、実端末熱負荷の夫々を、電力負荷計測手段１３、給湯熱負荷計測手段３１、および、端末熱負荷計測手段３２にて計測し、その計測した実電力負荷、実給湯熱負荷、および、実端末熱負荷を記憶する状態で１日分の時系列的な実負荷データを曜日と対応付けて記憶させる。
【００４５】
そして、１日分の時系列的な実負荷データが１週間分記憶されると、曜日ごとに、時系列的な過去負荷データと時系列的な実負荷データとを所定の割合で足し合わせることにより、新しい時系列的な過去負荷データを求めて、その求めた新しい時系列的な過去負荷データを記憶して、時系列的な過去負荷データを更新するように構成されている。
【００４６】
日曜日を例に挙げて具体的に説明すると、図３に示すように、時系列的な過去負荷データのうち日曜日に対応する時系列的な過去負荷データＤ１ｍと、時系列的な実負荷データのうち日曜日に対応する時系列的な実負荷データＡ１とから、下記の〔数１〕により、日曜日に対応する新しい時系列的な過去負荷データＤ１（ｍ＋１）が求められ、その求められた時系列的な過去負荷データＤ１（ｍ＋１）を記憶する。
なお、下記の〔数１〕において、Ｄ１ｍを、日曜日に対応する時系列的な過去負荷データとし、Ａ１を、日曜日に対応する時系列的な実負荷データとし、Ｋは、０．７５の定数であり、Ｄ１（ｍ＋１）を、新しい時系列的な過去負荷データとする。
【００４７】
〔数１〕
Ｄ１（ｍ＋１）＝（Ｄ１ｍ×Ｋ）＋｛Ａ１×（１−Ｋ）｝
【００４８】
前記予測負荷演算処理について説明を加えると、０時になるなど日付が変わるごとに実行され、その日のどの時間帯にどれだけの電力負荷、給湯熱負荷、端末熱負荷が予測されているかの１日分の時系列的な予測負荷データを求めるように構成されている。
すなわち、曜日ごとの７つの過去負荷データのうち、その日の曜日に対応する過去負荷データと前日の実負荷データとを所定の割合で足し合わせることにより、どの時間帯にどれだけの電力負荷、給湯熱負荷、端末熱負荷が予測されているかのその日１日分の時系列的な予測負荷データを求めるように構成されている。
【００４９】
月曜日１日分の予測負荷データを求める場合を例に挙げて具体的に説明すると、図３に示すように、曜日ごとの７つの過去負荷データＤ１ｍ〜Ｄ７ｍと曜日ごとの７つの実負荷データＡ１〜Ａ７とが記憶されているので、月曜日に対応する過去負荷データＤ２ｍと、前日の日曜日に対応する実負荷データＡ１とから、下記の〔数２〕により、月曜日の１日分の時系列的な予測負荷データＢを求める。
【００５０】
そして、１日分の予測負荷データＢは、図４に示すように、１日分の時系列的な予測電力負荷データ、１日分の時系列的な予測給湯熱負荷データ、１日分の時系列的な予測端末熱負荷データからなり、図４の（イ）は、１日分の時系列的な予測電力負荷を示しており、図４の（ロ）は、１日分の時系列的な予測端末熱負荷を示しており、図４の（ハ）は、１日分の時系列的な予測給湯熱負荷を示している。
なお、下記の〔数２〕において、Ｄ２ｍを、月曜日に対応する過去負荷データとし、Ａ１を、日曜日に対応する実負荷データとし、Ｑは、０．２５の定数であり、Ｂは、予測負荷データとする。
【００５１】
〔数２〕
Ｂ＝（Ｄ２ｍ×Ｑ）＋｛Ａ１×（１−Ｑ）｝
【００５２】
次に、運転パターン設定処理について説明を加える。
先ず、時系列的な予測給湯熱負荷データを用いて、現時点から基準値用時間先までの間に必要となる貯湯必要量を賄えるように熱電併給装置３を運転させた場合に、熱電併給装置３を運転させることによって省エネルギー化を実現できる省エネ度を求める。
【００５３】
例えば、単位時間を１時間とし、基準値用時間を１２時間として説明を加えると、まず、時系列的な予測負荷データによる予測電力負荷、予測給湯熱負荷、および、予測端末熱負荷から、下記の〔数３〕により、図５に示すように、熱電併給装置３を運転させた場合の予測省エネ度を１時間ごとに１２時間先までの１２個分を求めるとともに、熱電併給装置３を運転させた場合に貯湯タンク３に貯湯することができる予測貯湯量を１時間ごとに１２時間先までの１２個分を求める。
【００５４】
具体的に説明を加えると、現時点が０時であると、０時から１時まで熱電併給装置３を運転させた場合の予測省エネ度については、０時から１時までの予測電力負荷、予測給湯熱負荷、および、予測端末熱負荷から、下記の〔数３〕により求められ、０時から１時まで熱電併給装置３を運転させた場合の予測貯湯量についても、０時から１時までの予測電力負荷、予測給湯熱負荷、および、予測端末熱負荷から求められる。
このようにして、現時点が０時である場合には、１時間ごとの予測省エネ度と予測貯湯量とを１２時までの１２個分求めるようにしている。
【００５５】
〔数３〕
省エネ度Ｐ＝｛（ＥＫ１＋ＥＫ２＋ＥＫ３）／熱電併給装置３の必要エネルギー｝×１００
【００５６】
ただし、ＥＫ１は、有効発電出力Ｅ１を変数とする関数であり、ＥＫ２は、有効暖房熱出力Ｅ２を変数とする関数であり、ＥＫ３は、有効貯湯熱出力Ｅ３を変数とする関数であり、
ＥＫ１＝有効発電出力Ｅ１の発電所一次エネルギー換算値
＝ｆ１（有効発電出力Ｅ１，発電所での必要エネルギー）
ＥＫ２＝有効暖房熱出力Ｅ２の従来給湯器でのエネルギー換算値
＝ｆ２（有効暖房熱出力Ｅ２，バーナ効率（暖房時））
ＥＫ３＝有効貯湯熱出力Ｅ３の従来給湯器でのエネルギー換算値
＝ｆ３（有効貯湯熱出力Ｅ３，バーナ効率（給湯時））
熱電併給装置３の必要エネルギー：５．５ｋＷ
（熱電併給装置３を１時間稼動させたときに必要な都市ガス使用量を０．４３３ｍ3とする）
発電所での必要エネルギー：２．８ｋＷ
バーナ効率（暖房時）：０．８
バーナ効率（給湯時）：０．９
【００５７】
また、有効発電出力Ｅ１、有効暖房熱出力Ｅ２、有効貯湯熱出力Ｅ３の夫々は、下記の〔数４〕〜〔数６〕により求められる。
【００５８】
〔数４〕
Ｅ１＝電力負荷１１での消費電力＝熱電併給装置３の発電電力−（電気ヒータ１４の消費電力＋各種補機の消費電力）
ちなみに、各種補機とは、このコージェネレーションシステムで固有に補助的に用いられる装置や機械であり、冷却用熱媒循環ポンプ１７や湯水循環ポンプ１９などがこれに該当する。
【００５９】
〔数５〕
Ｅ２＝熱消費端末５での消費熱量
【００６０】
〔数６〕
Ｅ３＝（熱電併給装置３にて発生する熱量＋電気ヒータ１４の回収熱量−有効暖房熱出力Ｅ２）−放熱ロス
ただし、電気ヒータ１４の回収熱量＝電気ヒータ１４の消費電力×ヒータの熱効率とする。
【００６１】
そして、図５に示すように、１時間ごとの予測省エネ度および予測貯湯量を１２個分求めた状態において、まず、時系列的な予測給湯熱負荷データから１２時間先までに必要とされている予測必要貯湯量を求め、その予測必要貯湯量から現時点での貯湯タンク４内の貯湯量を引いて、１２時間先までの間に必要となる必要貯湯量を求める。
例えば、予測給湯熱負荷データから１２時間後に９．８ｋＷの給湯熱負荷が予測されていて、現時点での貯湯タンク４内の貯湯量が２．５ｋＷである場合には、１２時間先までの間に必要となる必要貯湯量は７．３ｋＷとなる。
【００６２】
そして、単位時間の予測貯湯量を足し合わせる状態で、その足し合わせた予測貯湯量が必要貯湯量に達するまで、１２個分の単位時間のうち、予測省エネ度の数値が高いものから選択していくようにしている。
【００６３】
説明を加えると、例えば、上述の如く、必要貯湯量が７．３ｋＷである場合には、図５に示すように、まず、予測省エネ度の一番高い７時間先から８時間先までの単位時間を選択し、その単位時間における予測貯湯量を足し合わせる。次に予測省エネ度の高い６時間先から７時間先までの単位時間を選択し、その単位時間における予測貯湯量を足し合わせて、そのときの足し合わせた予測貯湯量が１．１ｋＷとなる。また次に予測省エネ度の高い５時間先から６時間先までの単位時間を選択し、その単位時間における予測貯湯量を足し合わせて、そのときの足し合わせた予測貯湯量が４．０ｋＷとなる。
【００６４】
このようにして、予測省エネ度の数値が高いものからの単位時間の選択と予測貯湯量の足し合わせを繰り返していくと、図５に示すように、８時間先から９時間先までの単位時間を選択したときに、足し合わせた予測貯湯量が７．３ｋＷに達する。従って、この図５に示す例では、５時から１１時までの時間帯が省エネ度が高い運転時間帯として求められる。つまり、この場合には、５時が設定された運転開始時刻に対応することになる。
尚、この場合には、１２時に達すると、さらに、次の１２時間について上記したような省エネ度の演算を行うことになる。
【００６５】
前記運転制御部７は、エンジン温度検出センサＳ１にて検出される起動前のエンジン１の温度が暖機運転要否判別用の基準温度よりも高い場合には、前記運転開始時刻又はそれに近い時刻にて、直ちに定格運転に移行する形態でエンジン１の運転を制御し、エンジン温度検出センサＳ１にて検出される起動前のエンジン１の温度が暖機運転要否判別用の基準温度よりも低い場合には、前記運転開始時刻よりもエンジン１の温度と暖機運転要否判別用の基準温度との差が大きいほど長い時間となる補正時間だけ早い暖機運転開始時刻を求めて、その暖機運転開始時刻にてエンジン暖機運転（定格運転が可能な状態となるようにエンジンを暖める運転）の実行を開始し、その後、定格運転に移行する形態で、エンジン１の運転を制御するように構成されている。
【００６６】
そして、前記運転制御部７は、エンジン温度検出センサＳ１にて検出される起動前のエンジン１の温度が暖機運転要否判別用の基準温度よりも低く、且つ、起動可否判別用の基準温度よりも高い場合は、前記エンジン暖機運転として、アイドリング状態でのエンジン暖機運転を実行するように構成され、且つ、前記補正時間としてアイドリング状態でのエンジン暖機運転を実行するための時間を設定して前記暖機運転開始時刻を求めるように構成されている。又、エンジン温度検出センサＳ１にて検出される起動前のエンジン１の温度が起動可否判別用の基準温度よりも低い場合は、エンジン暖機運転として、エンジン１の回転停止状態で加熱手段としての排熱回収手段にてエンジン冷却用熱媒を加熱する熱媒加熱式のエンジン暖機運転をエンジン１の温度が起動可否判別用の基準温度よりも高くなるまで実行し、次に、アイドリング状態でのエンジン暖機運転を実行するように構成され、且つ、補正時間として熱媒加熱式のエンジン暖機運転及びアイドリング状態でのエンジン暖機運転の夫々を実行するための時間を設定して前記暖機運転開始時刻を求めるように構成されている。
【００６７】
又、運転制御部７は、エンジン１の温度が起動可否判別用の基準温度よりも低く、且つ、貯湯温度センサＳ３にて検出される湯水の温度が設定温度より高い場合は、熱媒加熱式のエンジン暖機運転として、貯湯タンク４内の湯水を排熱回収用熱交換器２２を通過するように湯水通流路１８を通して循環通流させる貯湯温水循環状態に切り換えて、エンジン１の回転停止状態において貯湯タンク４内の湯水とエンジン冷却用熱媒との間で熱交換を行うことによってエンジン冷却用熱媒を加熱する貯湯温水循環式のエンジン暖機運転を実行するように構成され、エンジン１の温度が起動可否判別用の基準温度よりも低く、且つ、貯湯温度センサＳ３にて検出される湯水の温度が設定温度より低い場合は、熱媒加熱式のエンジン暖機運転として、補助加熱手段Ｍにて加熱しながら迂回通流路３３を通して湯水を循環通流する加熱温水循環状態に切り換えて、エンジン１の回転停止状態において補助加熱手段Ｍにて加熱した湯とエンジン冷却用熱媒との間で熱交換を行うことによってエンジン冷却用熱媒を加熱する加熱温水循環式のエンジン暖機運転を実行するように構成されている。
【００６８】
以下、運転制御部７におけるエンジン制御の具体的な動作について説明する。尚、このエンジン制御は設定単位時間毎に繰り返し実行されることになる。
図７、図８に示すように、エンジン温度検出センサＳ１にて検出されるエンジン１の温度Ｔ１が前記暖機運転要否判別用の基準温度としての第１判定温度Ｔａ１（５０℃）より高い場合は、エンジン１の運転を開始する開始時刻ｔ’として、上記した運転パターン設定処理にて設定された運転開始時刻ｔと同じ時刻を設定する（ステップ１、２）。
【００６９】
エンジン温度検出センサＳ１にて検出されるエンジン１の温度Ｔ１が第１判定温度Ｔａ１（５０℃）よりも低く、且つ、エンジン起動可否判別用の基準温度として設定されている第２判定温度Ｔａ２（１０℃）よりも高い場合には、開始時刻ｔ’として、上記した運転パターン設定処理にて設定された運転開始時刻ｔに対して設定時間だけ早めるための時刻補正処理を実行する（ステップ３、４）。つまり、ｔ’＝ｔ−ａ（Ｔａ１−Ｔ１）で求めて補正した時刻ｔ’を開始時刻として設定する（図６参照）。つまり、ａ（Ｔａ１−Ｔ１）で求められる時間が、アイドリング状態でのエンジン暖機運転を実行するための時間であり、エンジン１の温度と暖機運転要否判別用の基準温度（第１判定温度Ｔａ１）との差から求められる補正時間である。このときは、第１判定温度Ｔａ１との温度偏差は小さいので、補正時間が短いものとなる。但し、「ａ」は所定の係数である。
【００７０】
そして、エンジン温度検出センサＳ１にて検出されるエンジン１の温度Ｔ１が第２判定温度Ｔａ２よりも低く、且つ、貯湯温度センサＳ３にて検出される貯湯タンク４内の湯水の温度Ｔ２が設定温度Ｔｂ（６０℃）よりも高い場合には、開始時刻ｔ’として、上記した運転パターン設定処理にて設定された運転開始時刻ｔに対して設定時間だけ早めるための時刻補正処理を実行する（ステップ５、６）。つまり、ｔ’＝ｔ−ｂ（Ｔａ１−Ｔ１）で求めて補正した時刻ｔ３を開始時刻として設定する（図６参照）。つまり、ｂ（Ｔａ１−Ｔ１）で求められる時間が、後述するような貯湯温水循環式のエンジン暖機運転及びアイドリング状態でのエンジン暖機運転を実行するための時間であり、エンジン１の温度と暖機運転要否判別用の基準温度（第１判定温度Ｔａ１）との差から求められる補正時間である。このときは、第１判定温度Ｔａ１との温度偏差は大きいので、補正時間が長いものとなる。但し、「ｂ」は所定の係数である。
【００７１】
前記エンジン１の温度Ｔ１が第２判定温度Ｔａ２よりも低く、且つ、貯湯温度センサＳ３にて検出される貯湯タンク４内の湯水の温度Ｔ２が設定温度Ｔｂよりも低い場合には、開始時刻ｔ’として、上記した運転パターン設定処理にて設定された運転開始時刻ｔに対して設定時間だけ早めるための時刻補正処理を実行する（ステップ７）。つまり、ｔ’＝ｔ−ｃ（Ｔａ１−Ｔ１）で求めて補正した時刻ｔ’を開始時刻として設定する（図６参照）。つまり、ｃ（Ｔａ１−Ｔ１）で求められる時間が、後述するような加熱温水循環式のエンジン暖機運転及びアイドリング状態でのエンジン暖機運転を実行するための時間であり、エンジン１の温度と暖機運転要否判別用の基準温度（第１判定温度Ｔａ１）との差から求められる補正時間である。このときは、第１判定温度Ｔａ１との温度偏差は大きいので、補正時間が長いものとなる。但し、「ｃ」は所定の係数である。図６では、貯湯温水循環式のエンジン暖機運転の場合と同じ時間を例示しているが、それらは異なる時間になることがある。
【００７２】
そして、開始時刻ｔ’において、エンジン１の温度Ｔ１が第１判定温度Ｔａ１よりも高ければ、図示しないセルモータを用いてエンジン１を始動させて直ちに定格運転に移行する（ステップ８、９、１０、１１）。つまり、エンジン１を始動させて、その後直ぐに定格運転を行う運転状態とするのである。この定格運転によって発電装置２を駆動するとともに排熱回収用熱交換器２２にてエンジン排熱を回収する通常の熱電併給運転状態にすることができる。その後、運転時間帯の運転終了時刻に至るとエンジン１を停止させる（ステップ１２、１３）。
【００７３】
前記開始時刻ｔ’において、前記エンジン１の温度Ｔ１が第１判定温度Ｔａ１よりも低く、且つ、第２判定温度Ｔａ２よりも高い場合には、エンジン１を始動させて、発電装置２を駆動しない無負荷状態でのアイドリング運転を行ってエンジン１の暖機を行う（ステップ１４、１５、１６）。そして、酸素センサＳ２の出力が適正に得られることが確認されるとアイドリング運転を終了して定格運転に移行する（ステップ１７）。
【００７４】
前記開始時刻ｔ’において、前記エンジン１の温度Ｔ１が第２判定温度Ｔａ２よりも低く、且つ、貯湯温度センサＳ３にて検出される貯湯タンク４内の湯水の温度Ｔ２が設定温度Ｔｂ（６０℃）よりも高ければ、貯湯温水循環式のエンジン暖機運転を実行する（ステップ１８、１９）。
【００７５】
この貯湯温水循環式のエンジン暖機運転は、エンジン１を始動させずに停止状態を維持したままで、前記貯湯タンク４内の湯水を排熱回収用熱交換器２２を通過するように湯水通流路１８を通して循環通流させる貯湯温水循環状態に切り換えて、貯湯タンク４内の湯水とエンジン冷却用熱媒との間で熱交換を行うことによってエンジン冷却用熱媒を加熱するものである。
【００７６】
具体的には、図９に示すように、貯湯弁２９を開弁させ断続弁３０及び断続弁３４を閉弁させた状態で湯水循環ポンプ１９を作動させて、貯湯タンク４内の湯水を湯水通流路を通して循環通流させる。一方、冷却用熱媒循環ポンプ１７を作動させてエンジン冷却用熱媒を循環通流させる。その結果、貯湯タンク４内の湯水が保有する熱によってエンジン冷却用熱媒が加熱され、エンジン１が暖機されることになる。
【００７７】
前記貯湯温水循環式のエンジン暖機運転を実行しているときに、前記エンジン１の温度Ｔ１が第２判定温度Ｔａ２よりも高くなると、その貯湯温水循環式のエンジン暖機運転を停止して（ステップ２０）、エンジン１を始動させてアイドリング運転を行う。その後は、上述したように定格運転に移行する。
【００７８】
前記開始時刻ｔ’において、前記エンジン１の温度Ｔ１が第２判定温度Ｔａ２よりも低く、且つ、貯湯温度センサＳ２にて検出される貯湯タンク４内の湯水の温度Ｔ２が設定温度Ｔｂよりも低ければ、加熱温水循環式のエンジン暖機運転を実行する（ステップ２１）。
【００７９】
この加熱温水循環式のエンジン暖機運転は、エンジン１を始動させない状態で、補助加熱手段Ｍにて加熱しながら迂回通流路３３を通して湯水を循環通流する加熱温水循環状態に切り換えて、補助加熱手段Ｍにて加熱した湯とエンジン冷却用熱媒との間で熱交換を行うことによってエンジン冷却用熱媒を加熱するものである。
【００８０】
具体的には、図１０に示すように、貯湯弁２９及び断続弁３０を閉弁させ、断続弁３４を開弁させて迂回通流路３３を通過して湯水が循環通流する状態に切り換えた状態で湯水循環ポンプ１９を作動させて、迂回通流路３３、補助加熱手段Ｍ及び排熱回収用熱交換器２２を通過する状態で湯水を循環通流させる。そのとき、循環通流する湯水の温度がエンジン暖機用設定温度（例えば、７０℃）になるように補助加熱手段Ｍによって加熱する補助加熱処理を合わせて実行する。一方、冷却用熱媒循環ポンプ１７を作動させてエンジン１の冷却用熱媒を循環通流させる。その結果、補助加熱手段Ｍによって加熱された高温の湯が保有する熱によってエンジン１の冷却用熱媒が加熱され、エンジン１が暖機されることになる。
【００８１】
前記加熱温水循環式のエンジン暖機運転を実行しているときに、エンジン１の温度Ｔ１が第２判定温度Ｔａ２よりも高くなると、その加熱温水循環式のエンジン暖機運転を停止して（ステップ２２）、エンジン１を始動させてアイドリング運転に移行する。その後は、上述したように定格運転に移行する。
【００８２】
この実施形態では、暖機運転要否判別用の基準温度として５０℃を設定し、起動可否判別用の基準温度として１０℃を設定したが、このような温度に限らず、それらの温度と少し異なる温度を設定してもよく、それらの温度に限定されるものではない。
【００８３】
〔別実施形態〕
以下、別実施形態を説明する。
【００８４】
（１）上記実施形態では、熱媒加熱式のエンジン暖機運転として、加熱温水循環式のエンジン暖機運転と、貯湯温水循環式のエンジン暖機運転のいずれかを選択的に実行するようにしたが、前記熱媒循環式のエンジン暖機運転として、貯湯温水循環式のエンジン暖機運転だけを行う構成としてもよく、加熱温水循環式のエンジン暖機運転だけを行う構成としてもよい。
【００８５】
（２）上記実施形態では、エンジン暖機運転として、起動前のエンジンの温度が起動可否判別用の基準温度よりも高い場合にはアイドリング運転を行うように構成したが、このような構成に代えて、エンジンの温度が暖機運転要否判別用の基準温度よりも高くなるまで熱媒加熱式のエンジン暖機運転を行うようにして、エンジンの温度が暖機運転要否判別用の基準温度よりも高くなると、直ちに定格運転に移行するようにしてアイドリング運転を実行しない構成としてもよい。
【００８６】
（３）上記実施形態では、過去の負荷データから電力負荷や熱負荷等の予測負荷データを演算にて求めて、その予測負荷データに基づいて最適な運転開始時刻を自動的に設定するような構成としたが、このような構成に限らず、例えば、前記熱消費端末を使用するための時刻を予め使用者が予約設定しておくことが可能なように構成して、その予約時刻を運転開始時刻として上記したようなエンジンの制御を実行するように構成してもよい。
【００８７】
（４）上記実施形態では、上記したような熱媒加熱式のエンジン暖機運転において、前記エンジン冷却用熱媒を加熱する加熱手段として前記電気ヒータを用いて加熱するように構成して実施することも可能である。
【００８８】
（５）上記実施形態では、エンジンの温度を検出するエンジン温度検出手段として、潤滑湯の温度を検出するものを例示したが、この構成に限らず、エンジンの外壁の温度やエンジンの近傍の温度を検出してもよく、又、運転制御手段がエンジンの運転と停止とを管理するものであれば外気温度にてエンジン温度を代用して用いるものでもよい。
【図面の簡単な説明】
【００８９】
【図１】コージェネレーションシステムの概略構成図
【図２】制御ブロック図
【図３】データ更新処理における説明図
【図４】１日分の時系列的な予測負荷を示すグラフ
【図５】省エネ度基準値演算処理における説明図
【図６】時刻修正処理における説明図
【図７】エンジン制御の動作を示すフローチャート
【図８】エンジン制御の動作を示すフローチャート
【図９】貯湯温水循環状態の通流状態を示す図
【図１０】加熱温水循環状態の通流状態を示す図
【符号の説明】
【００９０】
１              エンジン
４              貯湯タンク
７              運転制御手段
１５            熱媒循環路
１８            湯水通流路
１９            循環通流手段
２２            排熱回収用熱交換器
３３            迂回通流路
Ｓ１            エンジン温度検出手段
Ｓ３            湯温検出手段
Ｍ              補助加熱手段
【図１】
2006336607.tif 000003
【図２】
2006336607.tif 000004
【図３】
2006336607.tif 000005
【図４】
2006336607.tif 000006
【図５】
2006336607.tif 000007
【図６】
2006336607.tif 000008
【図７】
2006336607.tif 000009
【図８】
2006336607.tif 000010
【図９】
2006336607.tif 000011
【図１０】
2006336607.tif 000012